(57)【特許請求の範囲】
【請求項１】
第１の通信デバイスにおいて、第１のネットワークから、前記第１の通信デバイスを含む１グループの通信デバイス間のデバイス間伝送を支援するための情報を受信することと；
その後、前記第１の通信デバイスにおいて、前記第１のネットワークから前記デバイス間伝送のための支援を受信し続ける可能性が失われることを検出することと；
前記第１の通信デバイスにおいて、前記デバイス間伝送を第２のネットワークからの支援により継続するかまたは第２のネットワークからの支援なしに継続するかを決定することと；
を含む、方法。
【請求項２】
前記第１の通信デバイスにおいて、前記第２のネットワークから、前記第１の通信デバイスにおいて前記決定することを容易にする情報を受信することをさらに含む、請求項１に記載の方法。
【請求項３】
前記第１の通信デバイスから前記第２のネットワークに、前記決定することの結果に関する情報を伝送することをさらに含む、請求項１または請求項２に記載の方法。
【請求項４】
前記第１の通信デバイスから前記グループの通信デバイスのうちの１つまたは複数の他のデバイスに、前記第２のネットワークからの支援による前記デバイス間伝送の継続に関する情報を伝送することをさらに含む、請求項１から３のいずれかに記載の方法。
【請求項５】
前記第２のネットワークからの支援による前記デバイス間伝送の継続に関する前記情報は、
前記第１の通信デバイスにおける前記第２のネットワークの検出の表示と；
前記デバイス間伝送を支援する前記第２のネットワークの機能に関する情報と；
前記デバイス間伝送をどのようにさらに継続するかについて前記第２のネットワークからのその基本設定または推奨設定に関する情報と；
前記デバイス間伝送のための前記第２のネットワークからの支援の必要性に関する前記第１の通信デバイスにおける決定の結果と；
のうちの１つまたは複数を含む、請求項４に記載の方法。
【請求項６】
前記決定することは、前記グループの通信デバイスのうちの１つまたは複数の他の通信デバイスと一緒に実行される請求項１から５のいずれかに記載の方法。
【請求項７】
前記第２のネットワークからの支援による前記デバイス間伝送の継続に決定することと；
前記第２のネットワークに、前記デバイス間伝送のためのリソースプールについてリソースの暫定的選択に関する情報を伝送することと；
前記第１の通信デバイスにおいて、前記第２のネットワークから、前記デバイス間通信のためのリソースの前記暫定的選択の使用に進むという表示または前記デバイス間伝送のためのリソースの異なる選択の表示を受信することと；
を含む、請求項１から６のいずれかに記載の方法。
【請求項８】
前記デバイス間伝送は公共安全情報を提供する、請求項１から７のいずれかに記載の方法。
【請求項９】
前記第１のネットワークまたは前記別のネットワークは、公共安全情報の配信専用のネットワークであり、前記第２のネットワークは公共安全情報の配信専用ではない、請求項１から８に記載の方法。
【請求項１０】
処理手段及び記憶手段を備える装置であって、前記装置はプログラム命令を格納し、前記プログラム命令は、前記処理手段に実行されると、前記装置に、請求項１から９のいずれかに記載の方法を遂行させるように構成される、装置。
【請求項１１】
装置の処理手段に実行されると、前記装置に、請求項１から９のいずれかに記載の方法を遂行させるように構成されるプログラム命令を備える、コンピュータプログラム。  
【請求項１２】
通信デバイスであって、
第１のネットワークから、前記通信デバイスを含む１グループの通信デバイス間のデバイス間伝送を支援するための情報を受信する手段と；
その後、前記第１のネットワークから前記デバイス間伝送のための支援を受信し続ける可能性が失われることを検出する手段と；
前記デバイス間伝送を第２のネットワークからの支援により継続するかまたは第２のネットワークからの支援なしに継続するかを決定する手段と；
を備える、装置。
【発明の詳細な説明】
【発明の詳細な説明】
【０００１】
通信デバイス間の一部の通信は、１つの通信デバイスが他の通信デバイスから直接的に伝送を受信する、すなわち、ネットワークの固定トランシーバなど１つまたは複数の中間ノードを介する方法とは異なる方法で伝送を受信する、デバイス間伝送である。
【０００２】
デバイス間伝送は、ブロードキャスト伝送、グループキャスト伝送またはマルチキャスト、およびユニキャスト伝送とすることができる。
【０００３】
デバイス間伝送は、例えば、公共安全情報の効果的な配信のために使用することができる。
【０００４】
デバイス間伝送は、（ａ）リソースのプールのどの無線リソースがデバイス間伝送のために使用予定であるかをネットワークが決定する、ネットワーク制御伝送、または（ｂ）リソースのプールのどの無線リソースがデバイス間伝送のために使用するかを伝送する通信デバイス自体が決定する、より自律的な伝送を含むことができる。
【０００５】
本願の発明者らは、デバイス間通信のためのネットワークからの支援が予定外に失われる場合に、デバイス間通信の良好なサービスの継続性、堅牢性および性能を実現するという課題を認識した。
【０００６】
第１の通信デバイスにおいて、第１のネットワークから、前記第１の通信デバイスを含む１グループの通信デバイス間のデバイス間伝送を支援するための情報を受信することと、その後、前記第１の通信デバイスにおいて、前記第１のネットワークから前記デバイス間伝送のための支援を受信し続ける可能性が失われることを検出することと、前記第１の通信デバイスにおいて、前記デバイス間伝送を第２のネットワークからの支援により継続するかまたは第２のネットワークからの支援なしに継続するかを決定することと、を含む方法が本明細書にて提供される。
【０００７】
ある実施形態では、本方法はさらに、前記第１の通信デバイスにおいて、前記第２のネットワークから、第１の通信デバイスにおいて前記決定することを容易にする情報を受信することを含む。
【０００８】
ある実施形態では、本方法はさらに、第１の通信デバイスから第２のネットワークに、前記決定することの結果に関する情報を伝送することを含む。
【０００９】
ある実施形態では、本方法はさらに、前記第１の通信デバイスから前記グループの通信デバイスのうちの１つまたは複数の他のデバイスに、前記第２のネットワークからの支援による前記デバイス間伝送の継続に関する情報を伝送することを含む。
【００１０】
ある実施形態では、前記第２のネットワークからの支援による前記デバイス間伝送の継続に関する情報は、第１の通信デバイスにおける第２のネットワークの検出の表示と、前記デバイス間伝送を支援する第２のネットワークの機能に関する情報と、前記デバイス間伝送をどのようにさらに継続するかについて第２のネットワークからのその基本設定または推奨設定に関する情報と、前記デバイス間伝送のための前記第２のネットワークからの支援の必要性に関する前記第１の通信デバイスにおける決定の結果とのうちの１つまたは複数を含む。
【００１１】
ある実施形態では、前記決定することは、前記グループの通信デバイスのうちの１つまたは複数の他の通信デバイスと一緒に実行される。
【００１２】
ある実施形態では、本方法はさらに、前記第２のネットワークからの支援による前記デバイス間伝送の継続に決定することと、第２のネットワークに、前記デバイス間伝送のためのリソースプールについてリソースの暫定的選択に関する情報を伝送することと、前記第１の通信デバイスにおいて、前記第２のネットワークから、前記デバイス間通信のためのリソースの前記暫定的選択の使用に進むという表示または前記デバイス間伝送のためのリソースの異なる選択の表示を受信することとを含む。
【００１３】
第１の通信デバイスを含む１グループの通信デバイス間のデバイス間伝送の継続のためのネットワークからの支援を単に提供するために、ネットワークにおいて、前記第１の通信デバイスを接続状態に維持するか否かを決定することを含む方法も提供される。
【００１４】
ある実施形態では、本方法はさらに、前記第１の通信デバイスを接続状態に維持することに決定することと、前記ネットワークから前記第１の通信デバイスに、前記デバイス間伝送のためのリソースおよび／またはスケジューリングに関する情報を伝送することとを含む。
【００１５】
ある実施形態では、本方法はさらに、前記第１の通信デバイスを接続状態に維持しないと決定することと、前記第１の通信デバイスがネットワークに接続されない状態で前記デバイス間伝送を自律的に継続するという表示を伝送することとを含む。
【００１６】
ある実施形態では、前記デバイス間伝送は、別のネットワークの支援により以前に実施された。
【００１７】
ある実施形態では、前記デバイス間伝送は公共安全情報を提供する。
【００１８】
ある実施形態では、前記第１のネットワークまたは前記別のネットワークは、公共安全情報の配信専用のネットワークであり、前記第２のネットワークは公共安全情報の配信専用ではない。
【００１９】
上記に記載するいずれかの方法を実行するように構成される装置も提供される。
【００２０】
プロセッサと、コンピュータプログラムコードを含むメモリとを備える装置であって、メモリおよびコンピュータプログラムコードは、プロセッサを用いて、この装置に、第１の通信デバイスにおいて、第１のネットワークから、前記第１の通信デバイスを含む１グループの通信デバイス間のデバイス間伝送を支援するための情報を受信させることと、その後、前記第１の通信デバイスにおいて、前記第１のネットワークから前記デバイス間伝送のための支援を受信し続ける可能性が失われることを検出し、前記第１の通信デバイスにおいて、前記デバイス間伝送を第２のネットワークからの支援により継続するかまたは第２のネットワークからの支援なしに継続するかを決定させることとをするように構成される装置も提供される。
【００２１】
ある実施形態では、メモリおよびコンピュータプログラムコードはさらに、プロセッサを用いて、この装置に、前記第１の通信デバイスにおいて、前記第２のネットワークから、第１の通信デバイスにおける前記決定を容易にする情報を受信させることをするように構成される。
【００２２】
ある実施形態では、メモリおよびコンピュータプログラムコードはさらに、プロセッサを用いて、この装置に、第１の通信デバイスから第２のネットワークに、前記決定の結果に関する情報を伝送させることをするように構成される。
【００２３】
ある実施形態では、メモリおよびコンピュータプログラムコードはさらに、プロセッサを用いて、この装置に、前記第１の通信デバイスから前記グループの通信デバイスのうちの１つまたは複数のデバイスに、前記第２のネットワークからの支援による前記デバイス間伝送の継続に関する情報を伝送させることをするように構成される。
【００２４】
ある実施形態では、前記第２のネットワークからの支援による前記デバイス間伝送の継続に関する情報は、第１の通信デバイスにおける第２のネットワークの検出の表示と、前記デバイス間伝送を支援する第２のネットワークの機能に関する情報と、前記デバイス間伝送をどのようにさらに継続するかについて第２のネットワークからのその基本設定または推奨設定に関する情報と、前記デバイス間伝送のための前記第２のネットワークからの支援の必要性に関する前記第１の通信デバイスにおける決定の結果とのうちの１つまたは複数を含む。
【００２５】
ある実施形態では、メモリおよびコンピュータプログラムコードはさらに、プロセッサを用いて、この装置に、前記第１の通信デバイスにおいて、前記グループの通信デバイスのうちの１つまたは複数の他の通信デバイスと一緒に、前記デバイス間伝送を第２のネットワークからの支援により継続するかまたは第２のネットワークからの支援なしに継続するかを決定させることをするように構成される。
【００２６】
ある実施形態では、メモリおよびコンピュータプログラムコードはさらに、プロセッサを用いて、この装置に、前記第２のネットワークからの支援による前記デバイス間伝送の継続に決定したときは、第２のネットワークに、前記デバイス間伝送のためのリソースプールについてリソースの暫定的選択に関する情報を伝送させ、前記第１の通信デバイスにおいて、前記第２のネットワークから、前記デバイス間通信のためのリソースの前記暫定的選択の使用に進むという表示または前記デバイス間伝送のためのリソースの異なる選択の表示を受信させることをするように構成される。
【００２７】
プロセッサと、コンピュータプログラムコードを含むメモリとを備える装置であって、メモリおよびコンピュータプログラムコードは、プロセッサを用いて、この装置に、前記第１の通信デバイスを含む１グループの通信デバイス間のデバイス間伝送の継続のためのネットワークからの支援を単に提供するために、ネットワークにおいて、第１の通信デバイスを接続状態に維持するか否かを決定させることをするように構成される装置も提供される。
【００２８】
ある実施形態では、メモリおよびコンピュータプログラムコードはさらに、プロセッサを用いて、この装置に、前記第１の通信デバイスを接続状態に維持することに決定したときは、前記ネットワークから前記第１の通信デバイスに前記デバイス間伝送のためのリソースおよび／またはスケジューリングに関する情報を伝送させることをするように構成される。
【００２９】
ある実施形態では、メモリおよびコンピュータプログラムコードはさらに、プロセッサを用いて、この装置に、前記第１の通信デバイスを接続状態に維持しないと決定したときは、前記第１の通信デバイスがネットワークに接続されない状態で前記デバイス間伝送を自律的に継続するという表示を伝送させることをするように構成される。
【００３０】
ある実施形態では、前記デバイス間伝送は、別のネットワークの支援により以前に実施された。
【００３１】
ある実施形態では、前記デバイス間伝送は公共安全情報を提供する。
【００３２】
ある実施形態では、前記第１のネットワークまたは前記別のネットワークは、公共安全情報の配信専用のネットワークであり、前記第２のネットワークは公共安全情報の配信専用ではない。
【００３３】
コンピュータにロードされたときに、下記のこと：
第１の通信デバイスにおいて、第１のネットワークから、前記第１の通信デバイスを含む１グループの通信デバイス間のデバイス間伝送を支援するための情報を受信することと、その後、前記第１の通信デバイスにおいて、前記第１のネットワークから前記デバイス間伝送のための支援を受信し続ける可能性が失われることを検出し、前記第１の通信デバイスにおいて、前記デバイス間伝送を第２のネットワークからの支援により継続するかまたは第２のネットワークからの支援なしに継続するかを決定することと；
をするように、そのコンピュータを制御する、プログラムコード手段を備える、コンピュータプログラム製品も提供される。
【００３４】
コンピュータにロードされたときに、下記のこと：
第１の通信デバイスを含む１グループの通信デバイス間のデバイス間伝送の継続のためのネットワークからの支援を単に提供するために、そのネットワークにおいて、前記第１の通信デバイスを接続状態に維持するか否かを決定すること；
をするように、そのコンピュータを制御する、プログラムコード手段を備える、コンピュータプログラム製品も提供される。
【００３５】
本発明の実施形態を、添付の図面を参照しながら、単なる例として以下に詳細に説明する。
【００３６】
図１は、第１のネットワークのｅＮＢ２ａを介する、第１のネットワークの支援の下のデバイス間（Ｄ２Ｄ）伝送によって互いに通信する１グループの通信デバイス（ＵＥ）８の例を示す。
【００３７】
以下の詳細な説明は、（例えば、支援ネットワークの障害が原因で、またはＵＥ８のグループの１つもしくは複数が期せずして支援ネットワークのカバレッジエリア外に移動するので）第１のネットワークがデバイス間伝送のための支援を提供し続けることができなくなる場合に用いられる技法の例を説明する。
【００３８】
図１は、２つのネットワークのそれぞれについてアクセスノード２を１つだけ示すが、ネットワークはそれぞれアクセスノードを多数備えることができる。この例では、アクセスノード２ａは、例えば公共安全情報を配信するためのＤ２Ｄ通信の支援専用のネットワークの一部である。この例では、アクセスノード２ｂは商用ネットワークの一部であり、そのネットワークの主要なサービスは、ネットワークと通信デバイス（ＵＥ）との間の（マルチメディアデータなどの）データの転送である。
【００３９】
図２は、ワイヤレスインターフェースを介して図１のｅＮＢ２または他のＵＥ８と通信するために使用できるユーザ機器８の一例の概略図を示す。Ｄ２Ｄ通信に加えて、ユーザ機器（ＵＥ：ｕｓｅｒ  ｅｑｕｉｐｍｅｎｔ）８は、電話をかけるおよび電話を受けるなど様々なタスクのために、データネットワークとの間でデータを受信および送信するために、ならびに例えば、マルチメディアコンテンツまたは他のコンテンツを体験するために使用することができる。
【００４０】
ＵＥ８は、図１のＵＥおよびｅＮＢ２との間で無線信号を少なくとも送信または受信できるどのようなデバイスでもよい。非限定的な例には、移動局（ＭＳ：ｍｏｂｉｌｅ  ｓｔａｔｉｏｎ）、ワイヤレスインタフェースカードもしくは他のワイヤレスインターフェース機能を備えるポータブルコンピュータ、ワイヤレス通信機能を備える携帯情報端末（ＰＤＡ：ｐｅｒｓｏｎａｌ  ｄａｔａ  ａｓｓｉｓｔａｎｔ）、またはこれらの任意の組み合わせなどが含まれる。ＵＥ８は、ＵＥ８の適切な無線インターフェース機構を介して通信することができる。インターフェース機構は、例えば、無線部分および関連するアンテナ機構２０５によって設けることができる。アンテナ機構は、ＵＥ８の内部または外部に配置することができ、多層伝送方式で動作できるアンテナを複数含むことができる。
【００４１】
ＵＥ８は、少なくとも１つのデータ処理エンティティ２０３と、各タスクで使用される少なくとも１つのメモリまたはデータ格納エンティティ２１７とを備えることができ、そのデータ処理エンティティ２０３はそれらタスクを実行するように設計される。データプロセッサ２０３およびメモリ２１７は、適切な回路基板２１９上におよび／またはチップセット内に設けることができる。
【００４２】
ユーザは、キーパッド２０１、ボイスコマンド、タッチスクリーンもしくはタッチパッド、またはそれらの組み合わせなど適切なユーザインターフェースによってＵＥ８の動作を制御することができる。ディスプレイ２１５、スピーカ、およびマイクロホンを設けることもできる。さらに、ＵＥ８は、他のデバイスへの、および／または外部付属品、例えば、ハンズフリーの機器を他のデバイスに接続するための、適切なコネクタ（ワイヤードまたはワイヤレス）を備えることができる。
【００４３】
図３は、図１のネットワーク送受信エンティティ２で使用される装置の例を示す。装置は、無線周波信号を受信および伝送するように構成される無線周波アンテナアレイ３０１と、８アンテナアレイ３０１およびデータプロセッサ３０６によって受信および伝送される無線周波信号とインターフェースするように構成される無線周波インターフェース回路３０３とを備える。無線周波インターフェース回路３０３はトランシーバとして知られることがある。装置はインターフェース３０９も備え、インターフェース３０９を介して１つまたは複数の他のネットワークノードとの間で情報を送信および受信することができる。データプロセッサ３０６は、無線周波インターフェース回路３０３からの信号を処理し、ワイヤレス通信リンクを介してＵＥ８に情報を通信するべく適切なＲＦ信号を発生させるように無線周波インターフェース回路３０３を制御し、さらに、インターフェース３０９を介して他のネットワークノードと情報を交換するように構成される。メモリ３０７は、データプロセッサ３０６に使用されるようにデータ、パラメータ、および命令を格納するために使用される。
【００４４】
上記に記載する図２および図３のそれぞれに示す装置が、本明細書で以下に記載する本発明の実施形態に直接的には関係しない要素をさらに備えることができることが理解される。
【００４５】
上記で言及したように、本実施形態は、公共安全（ＰＳ：ｐｕｂｌｉｃ  ｓａｆｅｔｙ）ネットワークからそのネットワークの無線トランシーバ２ａを介して受信されるリソース割当て（ＲＡ：ｒｅｓｏｕｒｃｅ  ａｌｌｏｃａｔｉｏｎ）情報および／またはスケジューリング情報の支援により、ＵＥ８ａがＤ２Ｄグループの１つまたは複数の他のＵＥ８ｂ、８ｃ、８ｄとのＤ２Ｄ通信を行っていた（図４のステップ４０２）が、その後、ＰＳネットワークの障害が原因でまたはＰＳネットワークのカバレッジ圏外へのＵＥ８グループの移動が原因で、期せずしてＰＳネットワークからのこのような支援を受信し続けることができなくなることが判明する（図４のステップ４０４）という例示的な状況に関する。ＵＥ８は、商用の無線アクセスネットワーク（ＲＡＮ：ｒａｄｉｏ  ａｃｃｅｓｓ  ｎｅｔｗｏｒｋ）の存在をすでに検出したかまたはその後に検出し、より具体的には、商用ＲＡＮの無線送受信エンティティ（例えば、ｅＮｏｄｅＢ（ｅＮＢ））２ｂからの伝送を検出する。
【００４６】
本発明の一実施形態では、ＵＥ８ａは、進行中のＤ２Ｄグループの通信セッションに関する情報を含む、ｅＮＢ２ｂへの１つまたは複数の伝送を行う。そのグループ内の他のＵＥ８もこのようなｅＮＢ２ｂへの伝送を行うことができ、そのことから商用ネットワークは、どのＵＥが第１メンバであるかという情報、および１つまたは複数あるＵＥのどれがＤ２Ｄセッションのｎ番目のメンバであるかという情報など、Ｄ２Ｄセッションに関する情報を作り上げることができる。これにより、セッションがすでに商用ＲＡＮの支援下にあるかどうか、そうである場合どの程度であるかに関する情報を用いて、商用ＲＡＮがそのグループのＵＥからのいかなる伝送にも応答することが可能になる。
【００４７】
ＵＥ８ａは、商用ＲＡＮからｅＮＢ２ｂを介して、Ｄ２Ｄ通信を継続するための商用ネットワークからの支援を必要とするかどうかに関する、ＵＥ８ａにおいて決定を容易にする情報を受信する。ＵＥ８ａは、Ｄ２Ｄ通信を商用ＲＡＮの支援により継続するかまたは商用ＲＡＮの支援なしに継続するかに関する決定を行い（図４のステップ４０６）、ＵＥ８ａは、ＵＥ８ａにサービスする商用ＲＡＮのｅＮＢ２ｂに決定の結果を伝送する。上記で言及したように、そのグループの他のＵＥのうちの１つまたは複数も、並行してまたは同時に商用ネットワークにＤ２Ｄグループに関する情報を提供することができる。各ＵＥによって提供されるＵＥの機能情報および優先情報に基づいて、商用ネットワークは、同じアクティブなＤ２Ｄユーザグループの１を超えるＵＥを第１のＵＥとするべく構成することができる（ここで、第１のＵＥが、進行中のＤ２Ｄグループ通信を行うＵＥである）。
【００４８】
商用ネットワークによってアクティブなＤ２Ｄユーザグループの第１のＵＥとして構成されるＵＥ（この例では、ＵＥ８ａ）は、以下のように進むことができる。
【００４９】
ＰＳネットワークからの支援を失った後に、そのグループのＵＥはまず、支援が失われる前にＰＳネットワークによって割り当てられたリソースプールを使用して、自律して（モード２−以下により詳細に論じる）Ｄ２Ｄ通信を継続する。商用ネットワークから、Ｄ２Ｄ通信を継続するための商用ネットワークからの支援を受信することに関する情報を受信した後に、第１のＵＥ８ａは、Ｄ２Ｄ通信を自律して継続するかまたは商用ネットワークからの支援により進行中のＤ２Ｄセッションを継続するかを決定する。例えば、その決定は、アクセスの必要性、第１のＵＥ８ａおよび商用ネットワークの機能および条件のうちの１つまたは複数に基づくことができる。
【００５０】
第１のＵＥ８ａは、商用ネットワークにアクセスする必要がある場合も必要がない場合もある。例えば、第１のＵＥ８ａが例えばコマンドセンタもしくはユーザグループのリモートメンバとも通信する必要があるときに、または第１のＵＥ８ａと商用ネットワークとの間のいくつかの定義済みのローミング構成により、アクセスが要求される場合がある。
【００５１】
第１のＵＥ８ａは、Ｄ２Ｄグループの他のＵＥ８に、第１のＵＥ８ａによる商用ネットワークの検出の表示、商用ネットワークのＤ２Ｄ支援機能、基本設定または推奨設定、商用ネットワークからのＤ２Ｄ通信の継続のための支援の必要性に関する、ＵＥ８ａにおける決定の結果（例えば、商用ネットワークとの接続状態を維持するか否か、および維持する場合にどのＤ２Ｄ動作モードを使用するかの決定の結果）のうち１つまたは複数を含む情報をブロードキャストすることができる。Ｄ２Ｄグループの他のＵＥ８のうちの１つまたは複数は、この段階でまだ（ＰＳネットワークと同様に）商用ネットワークのネットワークカバレッジの圏外にある場合があり、この情報をブロードキャストすることにより、そのグループの１つまたは複数の他のＵＥが、現在のＤ２Ｄセッションが終了するまで、または第１のＵＥ８ａなど１つもしくは複数の他のＤ２Ｄグループメンバからそのように実行するという何らかのさらなる表示が与えられるまで、商用ＲＡＮとの初期のローミングプロシージャを実行しない（または遅延させる）という決定を行うことが可能になる。
【００５２】
ある実施形態では、商用ＲＡＮは、進行中のＤ２Ｄ通信について第１のＵＥ８ａを単に支援するために第１のＵＥ８ａを接続状態に維持するかどうかを判定することができる（図５のステップ５０２）。例えば、商用ＲＡＮは、Ｄ２Ｄ通信のための新しいリソースを用いて第１のＵＥ８ａを再構成およびスケジュール設定することに決定できる（図５のステップ５０４および５０８）か、または商用ＲＡＮは、第１のＵＥ８ａが（商用ＲＡＮに関して）アイドル状態に戻りＤ２Ｄ通信を自律的に継続することを示すことに決定できる（図５のステップ５０６および５１０）。
【００５３】
ある実施形態では、進行中のＤ２Ｄ通信のための、商用ＲＡＮからの支援を受信するかどうかに関する決定は、第１のＵＥ８ａ単独で独自に、あるいはＤ２ＤグループのＵＥのうちの１つもしくは複数または全てによって共同で実行することができる。
【００５４】
ＵＥ８ａにおける決定が、進行中のＤ２Ｄ通信のための、商用ＲＡＮからの支援を受信することである場合は、第１のＵＥ８ａは、適合されたコンテンツと共に商用ネットワークのサービングｅＮＢ２ｂにＲＡ要求を送信することができる（商用ＲＡＮがモード２のプールを制御できないので、必要な場合は自律Ｄ２Ｄ−モード２−のために予め構成されたＰＳ独自のプールから、ＰＳカバレッジ圏外のリソースプールおよびリソースの初期の選択を識別する）（図４のステップ４０８）。
【００５５】
商用ＲＡＮは、進行中のＤ２Ｄ通信に関するＲＡ要求において示されるリソースの選択を使用するように確認してサービングｅＮＢ２ｂを介して応答することができるか、または商用ＲＡＮは、ＲＡ要求において示されるリソースのサブセットを指定することができるか、または商用ＲＡＮは、商用ＲＡＮのカバレッジ圏内にあるが動作をモード２に維持するように第１のＵＥ８ａに命令することができる。
【００５６】
第１のＵＥ８ａは概して信頼されるエンティティではないので、第１のＵＥ８ａからのＲＡ要求ではモード２のプールリソースの明示的な識別は、任意選択とすることができるか、または商用ＲＡＮに認識可能なプールＩＤを含むことで十分であるとすることができる。次いで、サービングｅＮＢ２ｂは、商用ＲＡＮの別のエンティティから（第１のＵＥ８ａの認証／認定と一緒に）リソースプールの詳細を取得することができる。
【００５７】
ＰＳネットワークからのＤ２Ｄ支援が失われることが商用ＲＡＮのカバレッジ圏内への移動を伴い、その商用ＲＡＮが、Ｄ２Ｄ通信ためにＵＥ８ａグループによって使用される予め構成されたモード２のプールとオーバーラップする無線リソースを利用している場合には、第１のＵＥ８ａは、（商用ＲＡＮによって制御される伝送との干渉の可能性を避けるために）モード２の現在のＤ２Ｄ動作を停止し、商用ＲＡＮの支援の下でモード１に切り替える必要があるかどうかを判定することができる。こうした移行には、定義済みの範囲（０，Ｔｍａｘ）内の値をとるフレキシブルタイマＴを利用することができる。第１のＵＥ８ａは、モード２の動作をすぐに停止するか、またはモード２のリソースプールと新しい商用ＲＡＮによって採用される無線リソースとの間のオーバーラップの程度に応じて最大Ｔｍａｘの間はモード２の動作を継続することができる。
【００５８】
より一般的には、ＵＥ８ａは、ＵＥ８ａがＤ２Ｄリソース割当てを受信したＰＳネットワークのサービングセルへのセル同期外れを検出し、そのＰＳネットワークのカバレッジ圏外にあることを検出するまで、半永続スケジューリング（ＳＰＳ：ｓｅｍｉ−ｐｅｒｓｉｓｔｅｎｔ  ｓｃｈｅｄｕｌｉｎｇ）によって割り当てられたリソースを使用してＤ２Ｄ伝送の実行を継続することができる。このことは、Ｄ２Ｄ通信の継続を支援するために利用できる第２のネットワークがない可能性があるときにも該当する。
【００５９】
例えば、タイマＴはフレキシブルな期間を含むことができ、その期間は最大で、最大間欠受信（ＤＲＸ：Ｄｉｓｃｏｎｔｉｎｕｏｕｓ  Ｒｅｃｅｐｔｉｏｎ）ロングサイクルまたは許容できる無線リンク障害（ＲＬＦ：Ｒａｄｉｏ  Ｌｉｎｋ  Ｆａｉｌｕｒｅ）回復時間に設定され、その間はＵＥ８が以前に受信したリソース割当て（該当する場合はＵＥ８の残るチャンネル保持時間の制約も受ける）に従ってＤ２Ｄ伝送の実行を継続することができる。ＴはＵＥ８がカバレッジ圏外を検出する（例えば、Ｄ２Ｄ通信のためのＲＡを受信したネットワークのサービングセルを突然受信することができなくなるか、またはＤ２Ｄ通信のためのＲＡを受信したネットワークの任意のサービングセルから直接的にＤ２Ｄ同期信号を受信することができなくなる）ときに始まる。
【００６０】
タイマＴの期間中に、ＵＥ８は、前のタイミングを使用して直前に受信されたＲＡに従ってＤ２Ｄ伝送の実行を継続し、いくつかの同期元を見つけることによってＤ２Ｄ同期の再確立の試みも継続する。Ｄ２Ｄリソースは、排他的プールからＳＰＳ方式で割り当てることができる。したがって、Ｔが制御下にある（例えば、構成される場合は現在のチャンネル保持時間の残る部分の制約を受けるか、またはＲＬＦ回復タイマ内にある）限り、直前に受信されたＲＡに従ったＵＥによるＤ２Ｄ伝送の継続が、ＵＥとネットワークとの間の伝送に激しい干渉を引き起こすことはないであろう。第１に、ネットワークは、かかるセルラ伝送についてもその時に局所的にダウンしているかもしれない。第２に、セルラ伝送についてネットワークがその時に局所的にダウンしていないかもしれない場合でも、ネットワークは、ＵＥ８のためのＤ２Ｄ伝送に以前に割り当てられたリソースを取り戻し、それらリソースをネットワークと他のＵＥとの間の伝送に再び割り当てる前に、Ｄ２Ｄ  ＵＥ８のＲＬＦ回復が可能ではないことが検出されるまで待機することができる。
【００６１】
タイマＴの期間内にＤ２Ｄ同期元を見つけることができる場合は、Ｄ２Ｄ  ＵＥ８ａは、直前に受信されたＲＡに従ってタイマＴを停止し、Ｄ２Ｄ伝送を継続するかどうかを、以下のルールに基づいて決定することができる。
（ｉ）同期が（直接的にまたは何らかのＵＥ中継元を介して）サービングセルを用いて回復できる場合は、または（例えば、上記に記載する実施形態の第２の商用ＲＡＮなど）新しい同期元が見つけられ、直前に受信されたＲＡにおいて識別されるリソースが、新しい同期元に関連するリソースプールのサブセットである場合は、Ｄ２Ｄ  ＵＥ８ａは、少なくともチャンネル保持時間が満了するまで、直前に受信されたＲＡに従ってＤ２Ｄ伝送の実行を継続する。前者の場合は、Ｄ２Ｄ  ＵＥ８は、リソース要求を更新し、同じリソース（すなわち、古い同期元が失われる直前に受信されるＲＡにおいて識別されるリソース）をさらに長く使用し続けようとすることができる。Ｄ２Ｄ  ＵＥ８は、新しい同期元によって示される何らかの情報、例えば、第１のネットワーク（すなわち、Ｄ２ＤグループがＤ２Ｄ伝送をそれに従って行っているＲＡを以前に提供したネットワーク）のカバレッジ圏内で動作するか否か、および／または新しい同期元（例えば、上記に記載する実施形態の商用ＲＡＮ２ｂ）から受信される明示的なＤ２Ｄリソースプールの情報に基づいて、新しい同期元と関連するリソースプールの識別を判定することができる。
（ｉｉ）直前に受信されたＲＡにおいて識別されるリソースが新しい同期元に関連するリソースプールのサブセットではない場合は、Ｄ２Ｄ  ＵＥ８は、直前に受信されたＲＡに従って伝送を行うことを停止し、その代わりに、新しい同期元に関連する利用可能な新しいＤ２Ｄリソースプールを用いてＤ２Ｄ伝送を行い始めることができる。
【００６２】
タイマＴが満了する前に新しい同期元が見つけられない場合は、Ｄ２Ｄ  ＵＥ８は、新しいローカルの同期元として動作するようにそれ自体を再構成することができる。この場合、Ｄ２Ｄ  ＵＥ８は、Ｄ２Ｄのリソースプールの性質（例えば、前の失われたネットワークに特有であるか否か）、ならびにサービスの継続の必要性、すなわち、前のＤ２Ｄリソースプールおよびタイミングを用いて維持しようとする必要性に応じて、前のタイミングおよびＤ２Ｄのリソースプールを取り入れてもよく、取り入れなくてもよい。
【００６３】
直前に受信されたＲＡは、タイマＴの全持続期間の間にＤ２Ｄ  ＵＥ８によって使用することができる（すなわち、タイマＴは、Ｄ２Ｄ  ＵＥ８が上記に記載する実施形態の商用ネットワークなどの新しい同期元を見つけるとしても停止されない）。言い換えると、タイマＴが満了するときにだけ、Ｄ２Ｄ  ＵＥ８は、上記に記載するルールに基づいて同じＲＡを使用し続けるか否かに関する決定を行うことができる。この場合、少なくともタイマＴの期間の間は同じＲＡを用いてＤ２Ｄグループ通信を継続することができ、同時に、Ｄ２Ｄ  ＵＥ８は、Ｄ２Ｄのサービスの非継続性を低減できるように別の同期元との同期を確立しようとし続けることができる。タイマＴの期間には、Ｄ２Ｄ  ＵＥ８は、Ｄ２Ｄ伝送によってＤ２Ｄグループメンバに、新たに見つけられる任意の同期元の表示を、および同じＲＡ（すなわち、第１の失われたネットワークから直前に受信されるＲＡ）がどの程度長く使用されるかなど他の情報をブロードキャストすることができる。
【００６４】
Ｄ２Ｄ伝送を受信するＵＥ（Ｒｘ  ＵＥ）については、Ｒｘ  ＵＥがネットワークカバレッジの圏内から圏外への変化にあったときに、タイマＴに基づいた同様の動作を導入することができる。Ｒｘ  ＵＥ８は、Ｒｘ  ＵＥがそのカバレッジの変化を検出するとすぐに、上記で言及したタイマＴを始動させることができ、Ｒｘ  ＵＥは、Ｒｘ  ＵＥがタイマＴをリセットおよびリスタートできる限りの間は（モード２に加えて）現在構成されるモード１のリソースプールでＤ２Ｄ伝送の受信を継続することができ、Ｒｘ  ＵＥは、Ｄ２Ｄ伝送の際に伝送側ＵＥからモード１のプールのアップデートされた情報を得ることもできる。タイマＴの期間中にＲｘ  ＵＥが現在構成されているモード１のプールでＤ２Ｄ伝送を受信できない場合は、Ｒｘ  ＵＥは、モード１のプールのモニタリングを停止し、モード２に切り替えることができる。
【００６５】
上記の記載では、モード１はスケジュールされたモードを指し、モード２はより自律的なモードを指す。両モードで、ＵＥは、スケジューリングのアサインメントの受信を試みるリソースプール（時間周波数の無線リソースのプール）を備える。モード１では、ＵＥがネットワークから（例えば、ネットワークのｅＮＢから）伝送リソースを要求し、ネットワークは、スケジューリングの（１つまたは複数の）アサインメントおよびデータの伝送のための伝送リソースをスケジューリングする。モード１では、ＵＥは、ネットワークにスケジューリング要求（Ｄ−ＳＲまたはＲＡ）を、続いてバッファステータスレポート（ＢＳＲ：ｂｕｆｆｅｒ  ｓｔａｔｕｓ  ｒｅｐｏｒｔ）を送信し、それらに基づいて、ネットワーク／ｅＮＢが、ＵＥがＤ２Ｄ伝送を行う意図があること、ならびに意図されるＤ２Ｄ伝送のために要求されるリソースの量を判定することができる。モード１では、ＵＥは、Ｄ２Ｄ伝送を行うためにネットワークとＲＲＣ（無線リソース制御）接続状態にある必要がある。モード２では、ＵＥは、ＵＥがＤ２Ｄ伝送のためのリソースを自律的に選択するリソースプール（時間周波数無線リソースのプール）を備える。モード２では、ネットワークのカバレッジ圏内のＵＥは、ネットワーク／ｅＮＢから（例えば、ＳＩＢ信号）からリソースプールに関する情報を取得することができ、ネットワークのカバレッジ圏外のＵＥは、ネットワークのカバレッジ圏内の他のＵＥからＤ２Ｄ伝送を介してリソースプールに関する情報を取得することができるか、またはリソースプールは予め構成することができる。
【００６６】
上記に記載する技法は、（ｉ）現在のＤ２Ｄ伝送のためのＲＡを受信したネットワークのカバレッジ圏外にあることが突然判明するときに、Ｄ２Ｄ  ＵＥがＤ２Ｄ伝送のためのリソース割当てをどのように処理すべきか、および（ｉｉ）場合によってはＤ２Ｄ伝送の継続を支援できることがある別のネットワークを見つけるときに、このようなカバレッジ圏外のＤ２Ｄ  ＵＥがどのように挙動すべきか、という解決策を提供する。
【００６７】
上記に記載する動作は、様々なエンティティにおけるデータ処理を要求する場合がある。データ処理は１つまたは複数のデータプロセッサによって行うことができる。同様に、上記の実施形態で説明した様々なエンティティを、単一または複数のデータ処理エンティティおよび／またはデータプロセッサ内に実装することができる。コンピュータにロードする際には、実施形態を実装するように適切に適合されたコンピュータプログラムコード製品を使用することができる。動作を行うためのプログラムコード製品は、キャリアディスク、カードまたはテープなどのキャリア媒体に格納し、それら媒体によって提供することができる。データネットワークを介してこのプログラムコード製品をダウンロードする可能性がある。サーバ内の適切なソフトウェアによって実装形態を提供することができる。
【００６８】
例えば、本発明の実施形態は、チップセットとして、言い換えると、互いに通信する一連の集積回路として実装することができる。チップセットは、コードを実行するように構成されるマイクロプロセッサ、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、または上記に記載する動作を実行するためのプログラマブルデジタル信号プロセッサを備えることができる。
【００６９】
本発明の実施形態は、集積回路モジュールなど様々な構成要素において実践することができる。集積回路の設計は、全体として、高度に自動化されたプロセスである。論理レベル設計を、半導体基板上にプリントおよび形成される用意のできた半導体回路の設計に変換するために、複合的で強力なソフトウェアツールが利用可能である。
【００７０】
カリフォルニア州マウンテンビューのＳｙｎｏｐｓｙｓ社およびカリフォルニア州サンホセのＣａｄｅｎｃｅ  Ｄｅｓｉｇｎ社によって提供されるようなプログラムは、安定した設計ルールならびにプレストアされた設計モジュールのライブラリを用いて、導体を自動的にルート設定し半導体チップ上に構成要素を配置する。半導体回路の設計が完了すると、結果として得られる標準電子フォーマット（例えば、Ｏｐｕｓ、ＧＤＳＩＩなど）の設計を、作製のために半導体作製施設すなわち「ｆａｂ」に送ることができる。
【００７１】
上記で明示的に言及した修正に加えて、本発明の範囲内で説明した実施形態の様々な他の修正を行うことができることが当業者には明らかである。
【図面の簡単な説明】
【００７２】
【図１】第１のネットワークのアクセスノードを介して第１のネットワークからの支援により、第２のネットワークのアクセスノードのカバレッジエリアにおいて、デバイス間の伝送を行う１グループの通信デバイスの例を示す。
【図２】図１のユーザ機器に使用される装置の例を示す。
【図３】ネットワーク送受信エンティティ、例えば、図１のｅＮｏｄｅＢに使用される装置の例を示す。
【図４】本発明の一実施形態による、通信デバイスにおける動作を示す。
【図５】本発明の一実施形態による、１つまたは複数の無線アクセスネットワークエンティティにおける動作を示す。
【図１】
0006420368.tif 000002
【図２】
0006420368.tif 000003
【図３】
0006420368.tif 000004
【図４】
0006420368.tif 000005
【図５】
0006420368.tif 000006